(57)【要約】【課題】本発明は骨折等の怪我や寝たきりで体を動かすこと自体困難な方でも、身体への負担軽減でき、気軽に筋力のマッサージやリハビリ等をすることができる付与具及び付与具を用いたマッサージ方法を得るにある。【解決手段】筋肉に負荷を与えるように締め付け力を付与し、筋肉に疲労を生じさせて行う付与具を用いたマッサージ方法であって、骨折などの怪我や寝たきりで体を動かすこと自体困難な方等の身体に、血液の流れを制限したり、ツボを刺激するように下肢や上肢、肘等の関節部等に締め付け力を付与する付与具を取付ける取付け工程と、この取付け工程で前記付与具を取付けた状態で全身あるいは特定の患部を所定時間マッサージあるいはマッサージ効果のある運動をするマッサージ工程とで付与具を用いたマッサージ方法を構成している。【選択図】  図１
2008237314.tif 000002
【特許請求の範囲】
【請求項１】
筋肉に負荷を与えるように締め付け力を付与し、筋肉に疲労を生じさせて行う付与具を用いたマッサージ方法であって、骨折などの怪我や寝たきりで体を動かすこと自体困難な方等の身体に、血液の流れを制限したり、ツボを刺激するように下肢や上肢、肘等の関節部等に締め付け力を付与する付与具を取付ける取付け工程と、この取付け工程で前記付与具を取付けた状態で全身あるいは特定の患部を所定時間マッサージあるいはマッサージ効果のある運動をするマッサージ工程とを備えたことを特徴とする付与具を用いたマッサージ方法。
【請求項２】
筋肉に負荷を与えるように締め付け力を付与し、筋肉に疲労を生じさせて行う付与具を用いたマッサージ方法であって、骨折などの怪我や寝たきりで体を動かすこと自体困難な方等の身体に、血液の流れを制限したり、ツボを刺激するように下肢や上肢の関節部等に締め付け力を付与する付与具を取付ける取付け工程と、この取付け工程ので前記付与具を取付けた状態で全身あるいは特定の患部を所定時間マッサージあるいはマッサージ効果のある運動をする第１マッサージ工程と、この第１マッサージ工程後に、取付けられた前記付与具を取り外した状態で、適度にマッサージを行う第２マッサージ工程と備えたことを特徴とする付与具を用いたマッサージ方法。
【請求項３】
締め付け力を付与する付与具は、ベルト形状に形成され、締め付け力および長さを調節できるように固定手段が設けられていることを特徴とする請求項１あるいは２に記載の付与具を用いたマッサージ方法。
【請求項４】
締め付け力を付与する付与具は、ベルト形状に形成され、弾性素材で成形されていることを特徴とする請求項１あるいは２に記載の付与具を用いたマッサージ方法。
【請求項５】
締め付け力を付与する付与具は、ベルト形状に形成され、内側面に指圧あるいは圧力を加えることができる突起が設けられていることを特徴とする請求項１あるいは２に記載の付与具を用いたマッサージ方法。
【請求項６】
締め付け力を付与する付与具は、アンダーウエア形状に形成され、部分的に締め付け力を付与することができることを特徴とする請求項１あるいは２に記載の付与具を用いたマッサージ方法。
【請求項７】
前記マッサージ工程では、前記取付け工程で前記付与具を取付けた状態で、水中ウォーキングをすることを特徴とする請求項１あるいは２に記載の付与具を用いたマッサージ方法。
【請求項８】
前記マッサージ工程では、前記取付け工程で前記付与具を取付けた状態で、水中でエクササイズをすることを特徴とする請求項１あるいは２に記載の付与具を用いたマッサージ方法。
【請求項９】
ラバーや発泡ゴム等の弾性素材や、伸縮性を有する布等でベルト形状に形成された付与具本体と、この付与具本体の両端部部位に締め付け力および長さを調節できるように設けられた固定手段とからなることを特徴とする付与具。
【請求項１０】
前記付与具本体の内側面に指圧あるいは圧力を加えることができる突起が設けられていることを特徴とする請求項９に記載の付与具。
【発明の詳細な説明】
【技術分野】
【０００１】
本発明は、骨折などの怪我や寝たきりで体を動かすこと自体困難な方等に用いる付与具及び付与具を用いたマッサージ方法に関する。
【背景技術】
【０００２】
従来のリハビリや筋力トレーニングは、ダンベルやバーベル等の重量物や、バネ、ゴム等の弾性力に基づく抵抗力等を利用して所望の筋肉部位に負荷を与え、その状態で一定の疲労を得る程度にその筋肉部位を伸縮運動させることによってリハビリやトレーニング効果を得るようにしている。
上記のトレーニング方法では、効果を上げるために、器具の重量や抵抗力を増やしたり、運動の回数や時間を増やしたりしていた。しかし、筋肉への負荷をむやみに増やしても、身体自体に過度の負荷をかけてしまったり、過度の疲労が蓄積したり、筋肉や関節等を損傷したりする欠点があるとともに、骨折等の怪我や寝たきりで体を動かすこと自体困難な方には、体を動かすこと自体が無茶で、リハビリを施すことが困難で、筋力等が衰えるのは仕方のないことという欠点があった。
【特許文献１】特になし
【発明の開示】
【発明が解決しようとする課題】
【０００３】
本発明は以上のような従来の欠点に鑑み、骨折等の怪我や寝たきりで体を動かすこと自体困難な方でも、身体への負担軽減でき、気軽に筋力のマッサージやリハビリ等をすることができる付与具及び付与具を用いたマッサージ方法を提供することを目的としている。
【０００４】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００５】
上記目的を達成するために、本発明は筋肉に負荷を与えるように締め付け力を付与し、筋肉に疲労を生じさせて行う付与具を用いたマッサージ方法であって、骨折などの怪我や寝たきりで体を動かすこと自体困難な方等の身体に、血液の流れを制限したり、ツボを刺激するように下肢や上肢、肘等の関節部等に締め付け力を付与する付与具を取付ける取付け工程と、この取付け工程で前記付与具を取付けた状態で全身あるいは特定の患部を所定時間マッサージあるいはマッサージ効果のある運動をするマッサージ工程とで付与具を用いたマッサージ方法を構成している。
【０００６】
また、ラバーや発泡ゴム等の弾性素材や、伸縮性を有する布等でベルト形状に形成された付与具本体と、この付与具本体の両端部部位に締め付け力および長さを調節できるように設けられた固定手段とで付与具を構成している。
【発明の効果】
【０００７】
以下の説明から明らかなように、本発明にあっては次に列挙する効果が得られる。
【０００８】
（１）骨折などの怪我や寝たきりで体を動かすこと自体困難な方等の身体に、血液の流れを制限したり、ツボを刺激するように下肢や上肢、肘等の関節部等に締め付け力を付与する付与具を取付ける取付け工程と、この取付け工程で前記付与具を取付けた状態で全身あるいは特定の患部を所定時間マッサージあるいはマッサージ効果のある運動をするマッサージ工程とを備えているので、骨折などの怪我や寝たきりで体を動かすこと自体困難な方等が、身体に負担をかけることなく、簡単に筋力維持や健康増進等の運動やリハビリをすることができる。
【０００９】
（２）前記（１）によって、他の場所やリハビリ施設等に移動することなく、リハビリや運動をしたり、マッサージを受けることができるので、骨折などの怪我や寝たきりで体を動かすこと自体困難な方が効率よく運動をしたり、リハビリ等を受けることができる。
【００１０】
（３）前記（１）によって、取付け工程で前記付与具を取付けて、ツボを刺激する状態で全身あるいは特定の患部を所定時間マッサージするマッサージ工程を備えているので、例えばダンベルやウエイト等の筋肉トレーニングを行う必要はなく、筋肉や関節の損傷を効率よく防ぐことができる。
【００１１】
（４）請求項２〜１０も前記（１）〜（３）と同様な効果が得られる。
【発明を実施するための最良の形態】
【００１２】
以下、図面に示す本発明を実施するための最良の形態により、本発明を詳細に説明する。
【００１３】
図１ないし図４に示す本発明を実施するための最良の第１の形態において、１は筋肉に負荷を与えるように締め付け力を付与し、筋肉に疲労を生じさせて行うリハビリ等のマッサージ方法であって、骨折などの怪我や寝たきりで体を動かすこと自体困難な方等の身体２に、基本は経絡の経穴の圧析すなわち、血液の流れを制限するように、あるいはツボを刺激するように下肢や上肢、肘等の関節部等に締め付け力を付与する付与具３を取付ける取付け工程である。
【００１４】
前記取付け工程１で下肢や上肢、肘等の関節部等に、血液の流れを制限するように、あるいはツボを刺激するように取付けられる前記付与具３は、ラバーや発泡ゴム等の弾性素材や、伸縮性を有する布等でベルト形状に形成された付与具本体４と、この付与具本体４の両端部部位に締め付け力および長さを調節できるように設けられた、固定手段としての面ファスナー５、５とで構成されている。
前記付与具３は、固定手段としての前記面ファスナー５、５を介して、血液の流れを制限するように、あるいはツボを刺激するように下肢や上肢、肘等の関節部等に巻き付け状態で取付けられ、下肢や上肢に同時に取付けてもよく、どちらか一方に選択的に取付けてもよい。望ましくは、マッサージをする部位によって、その関連する部位に取付ける方がツボを刺激することができるので効果的である。
なお、前記付与具３は、サイズや色は、本発明では限定されないが、表面に模様等を施してもよい。また、通気性や吸湿性を適度に備えたものが好ましい。
また、アンダーウエア等の付与具を取付ける部位に対応する部位に、前記付与具を一体的に取付けたものを使用してもよい。
【００１５】
６は前記取付け工程１で前記付与具３を下肢や上肢、肘等の関節部等に取付けた状態で、全身あるいは特定の患部を所定時間マッサージあるいはマッサージ効果のある適度な運動をするマッサージ工程である。このマッサージ工程６では、ベッド形状の台に横たわり、あるいは図示しない椅子形状の台に座り、下肢や上肢、肘等の関節部等に取付けた前記付与具３より、血流の下流部分をマッサージすることで、血流を制限されている状態、あるいはツボを刺激する状態で、マッサージ部位の血行をよくしようとする働きを、身体２に対して喚起することができる。この場合、マッサージ時間は、長時間する必要はなく、約５〜３０分で十分である。
【００１６】
上記のようなリハビリ等のマッサージ方法では、下肢や上肢等の関節等に付与具３を取り付けることにより圧力をかけて、身体部位をマッサージする運動で、付与具３により圧力をかけられることでツボが刺激され、例えば、筋肉は低酸素状態になり、乳酸等の疲労物質が溜まり、脳下垂体が成長ホルモンを分泌させることになることにより、精巣や副腎を刺激してホルモンを分泌させ、筋肉を形成するステロイドホルモンの分泌を活性化することができる。また、血流を制限している状態を、付与具３を取り外すことによって血流を開放し、マッサージで血行がよくなっている部位に流れ込むとともに、毛細血管での血液の流れを改善することができる。すなわち、全身を支配している全ての神経が正常に働き、また血液が滞りなく全身を流れている状態、健康を効果的に維持することができる。
したがって、骨折などの怪我や寝たきりで体を動かすこと自体困難な方等が、身体に負担をかけることなく、簡単に筋力維持や健康増進等のリハビリをすることができる。
また、指圧や整体等のマッサージは、慢性症状に対して治療効果があり、身体の免疫力を高めて、病気になりにくい身体にすることができる。
［発明を実施するための異なる形態］
【００１７】
次に、図５ないし図１０に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００１８】
図５および図６に示す本発明を実施するための第２の形態において、前記本発明を実施するための最良の第１の形態と主に異なる点は、付与具３を取付ける取付け工程１の後に、前記付与具３を下肢や上肢、肘等の関節部等にツボを押さえるように取付けた状態で、全身あるいは特定の患部を所定時間マッサージする第１マッサージ工程７、この第１マッサージ工程７後に、取付けられた前記付与具３を取り外した状態で、適度にマッサージを行う第２マッサージ工程８とからなるマッサージ工程６Ａを備えた点で、このようなリハビリ等のマッサージ方法を行なっても、前記本発明を実施するための最良の第１の形態と同様な作用効果が得られるとともに、血流がよくなると、皮膚のかゆみや前記付与具３が取付けられた部位の違和感等を効率よく取り除くことができる。
【００１９】
図７および図８に示す本発明を実施するための第３の形態において、前記本発明を実施するための最良の第１の形態と主に異なる点は、内側面に指圧あるいは圧力を加えることができる弾力性のある、複数個の半球形状の突起９が設けられた付与具３Ａを用いた点で、このような付与具を用いたリハビリ等のマッサージ方法を行なっても前記本発明を実施するための最良の第１の形態と同様な作用効果が得られるとともに、前記突起９には、ツボ等を押さえて指圧効果があるので、血流を良くし、毛細血管での血液の流れを改善することができるとともに、全身の神経が正常に働き、また血液が滞りなく全身を流れ、健康を効果的に維持することができる。また、身体の免疫力を高めて、病気になりにくい身体にすることができる。
なお、本実施例では、球形状に形成された突起を用いることについて説明したが、本発明ではこれに限らず、大小を問わず、台形形状、球形状等、前記付与具３Ａを取付けた時に、ある程度のマッサージ効果を生み出す刺激や圧力を加えることができる形状に形成される。
【００２０】
図９および図１０に示す本発明を実施するための第４の形態において、前記本発明を実施するための最良の第１の形態と主に異なる点は、前記付与具本体４の両端部部位に、締め付け力および前記付与具本体４の長さを着脱可能に調節できる、固定手段としての複数個の凹凸具５Ａを用いた点で、このような付与具３Ｂを用いたリハビリ等のマッサージ方法を行なっても前記本発明を実施するための最良の第１の形態と同様な作用効果が得られる。
【００２１】
図１１および図１２に示す本発明を実施するための第５の形態において、前記本発明を実施するための最良の第１の形態と主に異なる点は、前記取付け工程で前記付与具３を取付けた状態で、水中ウォーキングをするマッサージ工程６Ｂを備えた点で、このようなリハビリ等のマッサージ方法を行なっても、前記本発明を実施するための最良の第１の形態と同様な作用効果が得られるとともに、水中でのウォーキングなので、無理なく適度な運動ができると同時に、マッサージと同様の効果を得ることができる。
なお、水中ウォーキングと同様に、無理なく適度な運動ができる水中でのエアロビクス、ダンス等のエクササイズを行ってもよい。
【００２２】
なお、前記本発明を実施するための各形態では付与具３、３Ａ、３Ｂとして足の太股の関節部に使用するものに付いて図示して説明したが、本発明はこれに限らず、その他、手や足の等の関節部等に巻き付け状態で使用できるようにしたものであって、同様な効果が得られる。
また、本発明の異なる実施の形態では主に第１の実施の形態を基にして説明したが、本発明はこれに限らず、各実施の形態に使用された構成を組み合わせて使用しても同様な作用効果が得られる。
【産業上の利用可能性】
【００２３】
本発明はリハビリ等のマッサージ方法を使用、実行する産業や業界で利用される。
【図面の簡単な説明】
【００２４】
【図１】本発明を実施するための最良の第１の形態の工程図。
【図２】本発明を実施するための最良の第１の形態の取付け工程の説明図。
【図３】本発明を実施するための最良の第１の形態のマッサージ工程の説明図。
【図４】本発明を実施するための最良の第１の形態の付与具の説明図。
【図５】本発明を実施するための第２の形態の工程図。
【図６】本発明を実施するための第２の形態のマッサージ工程の説明図。
【図７】本発明を実施するための第３の形態の付与具の正面図。
【図８】本発明を実施するための第３の形態の付与具の平面図。
【図９】本発明を実施するための第４の形態の付与具の正面図。
【図１０】本発明を実施するための第４の形態の付与具の背面図。
【図１１】本発明を実施するための第５の形態の工程図。
【図１２】本発明を実施するための第５の形態のマッサージ工程の説明図。
【符号の説明】
【００２５】
１：取付け工程、                    ２：身体、
３、３Ａ、３Ｂ：付与具、            ４：付与具本体、
５、５Ａ：固定手段、                ６、６Ａ、６Ｂ：マッサージ工程、
７：第１マッサージ工程、            ８：第２マッサージ工程、
９：突起。
【図１】
2008237314.tif 000003
【図２】
2008237314.tif 000004
【図３】
2008237314.tif 000005
【図４】
2008237314.tif 000006
【図５】
2008237314.tif 000007
【図６】
2008237314.tif 000008
【図７】
2008237314.tif 000009
【図８】
2008237314.tif 000010
【図９】
2008237314.tif 000011
【図１０】
2008237314.tif 000012
【図１１】
2008237314.tif 000013
【図１２】
2008237314.tif 000014